(57)【要約】      （修正有）【課題】ふとん類包布におけるふとん類の出し入れに要する出し入れ口の留めはずし作業を簡単に行うことができるようにした。【解決手段】ふとん類包布に縫製されたふとん類の出し入れ口の縁に、留めはずし自在な雌雄部一対となすテープ付き薄平型スナップボタンが縫着されていることで構成した。また、テープ付き薄平型スナップボタン付きふとん類包布の内側に、留めはずし自在なテープ付き両面使用可能な薄平型スナップボタンが縫着され構成した。さらに、ふとん類の周囲の縁にテープ付き両面使用可能な薄平型スナップボタンが縫着され構成した。【選択図】図８
0003104074.tif 000002
【実用新案登録請求の範囲】
【請求項１】
ふとん類包布に縫製されたふとん類出し入れ口の縁に、留めはずしに雌雄部一対となすテープ付き薄平型スナップボタンが縫着されていることを特徴とする、テープ付き薄平型スナップボタン付きふとん類包布。
【請求項２】
テープ付き薄平型スナップボタン付きふとん類包布の内側に、テープ付き両面使用可能な薄平型スナップボタンが縫着されていることを特徴とする、テープ付き薄平型スナップボタン付きふとん類包布。
【請求項３】
周囲の縁に、テープ付き両面使用可能な薄平型スナップボタンが縫着されていることを特徴とする、テープ付き両面使用可能な薄平型スナップボタン付きふとん類。
【考案の詳細な説明】
【技術分野】
【０００１】  本考案は、テープ付き薄平型スナップボタン付きふとん類包布と、内側に、テープ付き両面使用可能な薄平型スナップボタンが付いたテープ付き薄平型スナップボタン付きふとん類包布、ならびに、テープ付き両面使用可能な薄平型スナップボタン付きふとん類に関するものである。
【背景技術】
【０００２】  従来、ふとん類にふとん類包布を被せたとき、ふとん類包布のふとん類出し入れ口を閉じ合わせるために、ふとん類出し入れ口に縫着された紐状部材を結び合わせていた。【０００３】  また、ふとん類を重ね合わせてふとん類包布を被せたとき、ふとん類包布の内側で重ね合わせたふとん類を固定するために、紐状部材を結び合わせていた。【０００４】  さらに、ふとん類包布の業務用クリーニングにおける乾燥シワ取り機であるロールアイロナーの高温度特性や、ふとん類包布を送り込む狭い隙間、シワ取りのための加圧等の条件下では、業務用クリーニングをすることができるふとん類包布には、その形や使用する部材等に制約があった。
【考案が解決しようとする課題】
【０００５】  上記の紐状部材を結び合わせる作業や紐状部材の結びを解く作業が容易でなく、ふとん類包布の取り替え作業を簡単に行うことができなかった。
【０００６】  また、ふとん類を重ね合わせてふとん類包布を被せたとき、ふとん類包布の内側で重ね合わせたふとん類を紐状部材で結び合わせる作業や紐状部材の結びを解く作業が容易でなく、このためふとん類包布と重ね合わせたふとん類を固定する作業を簡単に行うことができなかった。
【０００７】  さらに、ふとん類包布の業務用クリーニングにおけるロールアイロナーでの乾燥シワ取り機械処理において、結びが解かれないまま機械に投入されると機械処理に支障をきたしたり、また、機械処理後に紐状部材の破損が多かった。
【０００８】  本考案は上記問題点を解決することを目的とするものである。
【課題を解決するための手段】
【０００９】  上記目的を解決するため、本考案は、ふとん類包布に縫製されたふとん類出し入れ口の縁に、留めはずしの自在な雌雄部一対となす、テープ付き薄平型スナップボタンが縫着されていることで構成したものである。
【００１０】また、ふとん類包布の内側に留めはずし自在な、テープ付き両面使用可能な薄平型スナップボタンが縫着され構成したものである。
【００１１】さらに、ふとん類の周囲の縁にテープ付き両面使用可能な薄平型スナップボタンが縫着され構成したものである。
【００１２】  上記スナップボタンは、業務用クリーニングのために耐熱性合成樹脂で薄く平らに成型されたものである。
【考案の効果】
【００１３】  本考案は上述の如く構成したので、ふとん類包布の取り替えを容易に行うことができる効果が存する。
また、重ね合わせたふとん類とふとん類包布とを容易に固定できる効果が存する。
【考案を実施するための最良の形態】
【００１４】  ふとん類包布に縫製されたふとん類出し入れ口の縁に、留めはずしに雌雄部一対となすテープ付き薄平型スナップボタンが縫着されている。（図１）【００１５】  ふとん類包布内側には、ふとん類固定テープが縫着され、このふとん類固定テープの表裏に、薄平型スナップボタン雌部と雄部が背合わせに成型固定されて両面使用可能な薄平型スナップボタンをなす。（図４）【００１６】  ふとん類の周囲にテープ付き両面使用可能な薄平型スナップボタンが縫着されている。（図５）【００１７】  テープ付き両面使用可能な薄平型スナップボタンがその周囲に縫着されたふとん類に、テープ付き薄平型スナップボタン付きふとん類包布を被せて、そのふとん類包布の内側に縫着された、テープ付き両面使用可能な薄平型スナップボタンと、ふとん類の周囲に縫着されたテープ付き両面使用可能な薄平型スナップボタンとを係合わせることにより、ふとん類をふとん類包布に簡単に固定させることができ、さらにテープ付き両面使用可能な薄平型スナップボタンがその周囲に縫着されたふとん類を当該ふとん類包布に入れて上記のふとん類の周囲に取り付けられたテープ付き両面使用可能な薄平型スナップボタンと係合わせると、複数枚のふとん類が容易に重ね合わせ固定できる。（図７）（図８）
【実施例】
【００１８】  以下に本考案の構成を添付図面に示す実施例を参照して詳細に説明する。【００１９】  １、５、７は、ふとん類包布であり、２のふとん類出し入れ口の縁に雌雄部一対となすテープ付き薄平型スナップボタン（図２）が縫着され構成されている。【００２０】  上述のふとん類に、ふとん類包布を被せて、ふとん類出し入れ口の留めはずしに、テープ付き薄平型スナップボタンの雌雄部をはめることで簡単に留め合わせることができる。【００２１】  テープ付き薄平型スナップボタンは、テープの先端を手で引っ張れば、簡単にはずすことができる。【００２２】  図４は、テープ付き薄平形スナップボタン付きふとん類包布の内側に、テープ付き両面使用可能な薄平型スナップボタンが縫着され構成されている。【００２３】  図５は、ふとん類の周囲の縁にテープ付き両面使用可能な薄平形スナップボタンが縫着され構成されている。【００２４】  図１のふとん類包布を図５のふとん類に被せて、ふとん類包布の内側に縫着されたテープ付き両面使用可能な薄平形スナップボタンの雄部と、ふとん類の周囲の縁に縫着されたテープ付き両面使用可能な薄平型スナップボタンの雌部をはめることで簡単に留め合わせることができ、図８のように重ね合わせたふとん類もふとん類包布に簡単に固定することができる。【００２５】  テープ付き両面使用可能な薄平型スナップボタンは、テープの先端を手で引っ張れば、簡単にはずすことができる。
【産業上の利用可能性】
【００２６】  本考案は、業務用クリーニングにおいて、ふとん類包布の破損を極めて少なくすることができ、また、ふとん類包布の交換作業やふとん類包布内での重ね合わせたふとん類の固定作業を極めて簡単に行うことができる可能性を存する。
【図面の簡単な説明】
【００２７】
【図１】本考案の平面から見た外観図である。
【図２】テープ付き薄平型スナップボタンの雄部と雌部の外観図である。
【図３】テープ付き薄平型スナップボタンの断面図である。
【図４】本考案の説明的平面図である。
【図５】テープ付き両面使用可能な薄平型スナップボタンが縫着されたふとん類の外観図である。
【図６】テープ付き両面使用可能な薄平型スナップボタンの断面図である。
【図７】ふとん類と重ね合わせたふとん類をふとん類包布に固定させたスナップボタン部の断面図である。
【図８】ふとん類と重ね合わせたふとん類をふとん類包布に固定させたふとん類包布の内覧図である。
【符号の説明】
【００２８】１  中央部にふとん類出し入れ口のあるふとん類包布本体
２  ふとん類出し入れ口
３、５  雄部のテープ付薄平形スナップボタン
４、６  雌部のテープ付薄平形スナップボタン
５  短辺にふとん類出し入れ口のあるふとん類包布本体
７  長辺中央部にふとん類出し入れ口のあるふとん類包布本体
８  雌部のテープ付薄平形スナップボタン
９  雄部のテープ付薄平形スナップボタン
１０  テープ
１１  スナップボタン雄部ベース
１２  ナップボタン雌部ベース
１３  テープ付き両面使用可能な薄平型スナップボタン
１４  ふとん類
【図１】
0003104074.tif 000003
【図２】
0003104074.tif 000004
【図３】
0003104074.tif 000005
【図４】
0003104074.tif 000006
【図５】
0003104074.tif 000007
【図６】
0003104074.tif 000008
【図７】
0003104074.tif 000009
【図８】
0003104074.tif 000010
【手続補正書】
【提出日】平成16年4月6日(2004.4.6)
【手続補正１】
【補正対象書類名】実用新案登録請求の範囲
【補正対象項目名】請求項３
【補正方法】変更
【補正の内容】
【請求項３】
テープ付き薄平型スナップボタン付きふとん類包布の内側に、テープ付き両面使用可能な薄平型スナップボタンが縫着されている位置と対応するテープ付き両面使用可能な薄平型スナップボタンが周囲に縫着されていることを特徴とする、テープ付き両面使用可能な薄平型スナップボタン付きふとん類。